【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
（ａ）基板、および、
（ｂ）前記基板に塗布される電極触媒被覆組成物であって、担体および金属を含んでなり、前記金属が前記電極触媒の少なくとも７０重量パーセントである電極触媒被覆組成物、
を含んでなる被覆基板。
【請求項２】
前記電極触媒中の金属の量が、７０〜９０重量パーセントである請求項１に記載の被覆基板。
【請求項３】
前記基板が、イオン交換膜である請求項１に記載の被覆基板。
【請求項４】
前記イオン交換膜が、酸性の形態にある過フッ素化スルホン酸膜である請求項３に記載の被覆基板。
【請求項５】
前記基板が、ガス拡散バッキングである請求項１に記載の被覆基板。
【請求項６】
前記担体が、微粒子炭素、導電性高分子、遷移金属炭化物、金属炭化物複合材、金属酸化物、および金属酸化物青銅のうちの少なくとも１つを含んでなる請求項１に記載の被覆基板。
【請求項７】
（ａ）基板、および、
（ｂ）前記基板に塗布される電極触媒被覆組成物であって、担体および金属を含んでなり、前記金属が前記電極触媒の少なくとも７０重量パーセントである電極触媒被覆組成物、
を含んでなる被覆基板を含んでなる膜電極組立体。
【請求項８】
被覆基板を含んでなる燃料電池であって、前記被覆基板が、担体および金属を含んでなる電極触媒被覆組成物を被覆された基板を含んでなり、前記金属が前記電極触媒の少なくとも７０重量パーセントである燃料電池。
【手続補正２】
【補正対象書類名】明細書
【補正対象項目名】０１０４
【補正方法】変更
【補正の内容】
【０１０４】
実施例１および２における本発明に従って製造した燃料電池は、明らかに、比較例ＡおよびＢの電流より大きい電流を提供する。得られた電流増加は、電極触媒中の大きい金属担体比についての予想外の結果である。
本発明の好適な実施の態様は次のとおりである。
１．  （ａ）基板、および、
（ｂ）前記基板に塗布される電極触媒被覆組成物であって、担体および金属を含んでなり、前記金属が前記電極触媒の少なくとも７０重量パーセントである電極触媒被覆組成物、
を含んでなる被覆基板。
２．  前記電極触媒中の金属の量が、約７０〜約９０重量パーセントである上記１に記載の被覆基板。
３．  前記基板が、イオン交換膜である上記１に記載の被覆基板。
４．  前記イオン交換膜が、酸性の形態にある過フッ素化スルホン酸膜である上記３に記載の被覆基板。
５．  前記基板が、ガス拡散バッキングである上記１に記載の被覆基板。
６．  前記ガス拡散バッキングが、炭素繊維ベースの紙または布である上記５に記載の被覆基板。
７．  前記担体が、微粒子炭素、導電性高分子、遷移金属炭化物、金属炭化物複合材、金属酸化物、および金属酸化物青銅のうちの少なくとも１つを含んでなる上記１に記載の被覆基板。
８．  前記担体が、微粒子炭素である上記７に記載の被覆基板。
９．  前記炭素担体が、５％未満の酸素含量を有する上記８に記載の被覆基板。
１０．  前記金属が、金属（ｉ）、金属（ｉｉ）、または金属（ｉｉｉ）である上記１に記載の被覆基板。
１１．  前記金属が、白金、並びに、場合によりルテニウムおよびパラジウムのうちの少なくとも１つを含んでなる上記１０に記載の被覆基板。
１２．  前記金属が、鉄金属ポルフィリン、鉄フタロシアニン、コバルト金属ポルフィリン、コバルトフタロシアニン、ニッケル金属ポルフィリン、およびニッケルフタロシアニンのうちの少なくとも１つを含んでなる上記１０に記載の被覆基板。
１３．  前記金属が、ルテニウム、ロジウム、モリブデン、およびタングステンのうちの少なくとも１つを含んでなる上記１０に記載の被覆基板。
１４．  前記電極触媒が、アノード触媒である上記１に記載の被覆基板。
１５．  前記触媒が、カソード触媒である上記１に記載の被覆基板。
１６．  前記電極触媒被覆組成物が、バインダをさらに含んでなる上記１に記載の被覆基板。
１７．  前記バインダが、イオン交換高分子である上記１６に記載の被覆基板。
１８．  前記電極触媒被覆組成物が、溶剤をさらに含んでなる上記１に記載の被覆基板。
１９．  （ａ）基板、および、
（ｂ）前記基板に塗布される電極触媒被覆組成物であって、担体および金属を含んでなり、前記金属が前記電極触媒の少なくとも７０重量パーセントである電極触媒被覆組成物、
を含んでなる被覆基板を含んでなる膜電極組立体。
２０．  電極触媒が、約７０重量パーセント〜約９０重量パーセントの金属を含んでなる上記１９に記載の膜電極組立体。
２１．  前記基板が、イオン交換膜である上記１９に記載の膜電極組立体。
２２．  前記イオン交換膜が、酸性の形態にある過フッ素化スルホン酸膜である上記２１に記載の膜電極組立体。
２３．  前記基板が、ガス拡散バッキングである上記１９に記載の膜電極組立体。
２４．  前記ガス拡散バッキングが、炭素繊維ベースの紙または布である上記２３に記載の膜電極組立体。
２５．  前記担体が、微粒子炭素、導電性高分子、遷移金属炭化物、金属炭化物複合材、金属酸化物、および金属酸化物青銅のうちの少なくとも１つを含んでなる上記１９に記載の膜電極組立体。
２６．  前記担体が、微粒子炭素である上記２５に記載の膜電極組立体。
２７．  前記炭素担体が、５％未満の酸素含量を有する上記２６に記載の膜電極組立体。
２８．  前記金属が、金属（ｉ）、金属（ｉｉ）、または金属（ｉｉｉ）である上記１９に記載の膜電極組立体。
２９．  前記金属が、白金、並びに、場合によりルテニウムおよびパラジウムのうちの少なくとも１つを含んでなる上記２８に記載の膜電極組立体。
３０．  前記金属が、鉄金属ポルフィリン、鉄フタロシアニン、コバルト金属ポルフィリン、コバルトフタロシアニン、ニッケル金属ポルフィリン、およびニッケルフタロシアニンのうちの少なくとも１つを含んでなる上記２８に記載の膜電極組立体。
３１．  前記金属が、ルテニウム、ロジウム、モリブデン、およびタングステンのうちの少なくとも１つを含んでなる上記２８に記載の膜電極組立体。
３２．  前記電極触媒が、アノード触媒である上記１９に記載の膜電極組立体。
３３．  前記触媒が、カソード触媒である上記１９に記載の膜電極組立体。
３４．  前記電極触媒被覆組成物が、バインダをさらに含んでなる上記１９に記載の膜電極組立体。
３５．  前記バインダが、イオン交換高分子である上記３４に記載の膜電極組立体。
３６．  前記電極触媒被覆組成物が、溶剤をさらに含んでなる上記１９に記載の膜電極組立体。
３７．  被覆基板を含んでなる燃料電池であって、前記被覆基板が、担体および金属を含んでなる電極触媒被覆組成物を被覆された基板を含んでなり、前記金属が前記電極触媒の少なくとも７０重量パーセントである燃料電池。
３８．  電極触媒が、約７０重量パーセント〜約９０重量パーセントの金属を含んでなる上記３７に記載の燃料電池。
３９．  前記基板が、イオン交換膜である上記３７に記載の燃料電池。
４０．  前記イオン交換膜が、酸性の形態にある過フッ素化スルホン酸膜である上記３９に記載の燃料電池。
４１．  前記基板が、ガス拡散バッキングである上記３７に記載の燃料電池。
４２．  前記ガス拡散バッキングが、炭素繊維ベースの紙または布である上記４１に記載の燃料電池。
４３．  前記担体が、微粒子炭素、導電性高分子、遷移金属炭化物、金属炭化物複合材、金属酸化物、および金属酸化物青銅のうちの少なくとも１つを含んでなる上記３７に記載の燃料電池。
４４．  前記担体が、微粒子炭素である上記４３に記載の燃料電池。
４５．  前記炭素担体が、５％未満の酸素含量を有する上記４４に記載の燃料電池。
４６．  前記金属が、金属（ｉ）、金属（ｉｉ）、または金属（ｉｉｉ）である上記３７に記載の燃料電池。
４７．  前記金属が、白金、並びに、場合によりルテニウムまたはパラジウムのうちの少なくとも１つを含んでなる上記４６に記載の燃料電池。
４８．  前記金属（ｉｉ）が、鉄金属ポルフィリンもしくはフタロシアニン、コバルト金属ポルフィリンもしくはフタロシアニン、または、ニッケル金属ポルフィリンもしくはフタロシアニンである上記４６に記載の燃料電池。
４９．  前記金属が、ルテニウム、ロジウム、モリブデン、およびタングステンのうちの少なくとも１つを含んでなる上記４６に記載の燃料電池。
５０．  前記電極触媒が、アノード触媒である上記３７に記載の燃料電池。
５１．  前記触媒が、カソード触媒である上記３７に記載の燃料電池。
５２．  前記電極触媒被覆組成物が、バインダをさらに含んでなる上記３７に記載の燃料電池。
５３．  前記バインダが、イオン交換高分子である上記５２に記載の燃料電池。
５４．  前記電極触媒被覆組成物が、溶剤をさらに含んでなる上記３７に記載の燃料電池。
５５．  前記燃料電池が、直接メタノール燃料電池である上記３７に記載の燃料電池。
５６．  前記燃料電池が、水素燃料電池である上記３７に記載の燃料電池。
５７．  前記燃料電池が、改質水素燃料電池である上記３７に記載の燃料電池。
５８．  上記３７に記載の燃料電池を含んでなる燃料電池スタック。